(57)【要約】【課題】本考案は、着脱が容易なレンズ体を備えたレンズ付帽子を提供するとともに、一つの帽子で多様なレンズ体に対応することができるレンズ付帽子を提供することである。【解決手段】レンズ付帽子１は、つば部２を有する帽子本体３とつば部２に着脱自在に設けられたサングラス体４とから構成される。つば部２には接続孔７が設けられた第１の接続受部材８及び第２の接続受部材９を前後方向に並設した接続受部５が設けられている。サングラス体４には、接続孔７,７に嵌合自在な接続部材12が設けられ、接続部材12には抜止め部13が設けられている。接続部材12に接続された接続体20の下端22には第１の基台23が接続され、ブリッジ部材29により接続された左右一対のレンズ24,24との間には、レンズ24,24を帽子本体３の前後方向に向けて上下に回動自在にさせるヒンジ機構30が設けられている。【選択図】図１
0003121162.tif 000002
【実用新案登録請求の範囲】
【請求項１】
つば部を有する帽子と、前記つば部に着脱自在に付けられるレンズ体とからなるレンズ付帽子において、
前記つば部に、該つば部の裏側において前後方向に並設された複数の接続受部を設け、
前記レンズ体に、前記接続受部に選択的に接続可能とした接続部材を設けたことを特徴とするレンズ付帽子。
【請求項２】
前記接続受部及び前記接続部材は、互いに嵌合可能に形成されたことを特徴とする請求項１記載のレンズ付帽子。
【請求項３】
前記接続部材は、前記接続受部に形成された平面多角形状の開口部に対し嵌合可能に形成されたことを特徴とする請求項１又は２に記載のレンズ付帽子。
【請求項４】
前記接続部材に、抜止め部が設けられたことを特徴とする請求項１〜３のいずれか１項に記載のレンズ付帽子。
【請求項５】
前記抜止め部は、前記接続部材に穿設された孔と、該孔内部に配置された弾性部材と、前記孔内部で後端を弾性部材に押圧され、かつ前記孔から先端の一部のみが突出する球状体を設けたことを特徴とする請求項４記載のレンズ付帽子。
【請求項６】
前記レンズ体は、サングラス体であることを特徴とする請求項１〜５のいずれか１項に記載のレンズ付帽子。
【請求項７】
前記サングラス体は、前記接続部材と、該接続部材の基端側に設けられたヒンジ機構と、
該ヒンジ機構により前記接続部材に回動自在に接続されたレンズとを備えたことを特徴とする請求項６記載のレンズ付帽子。
【請求項８】
前記ヒンジ機構は、前記レンズに備えられた回動軸に当接可能に設けられた姿勢保持手段を設けたことを備えたことを特徴とする請求項７記載のレンズ付帽子。
【請求項９】
前記帽子に、前記サングラス体が収納可能なサングラスケースを備えたことを特徴とする請求項６〜８のいずれか１項に記載のレンズ付帽子。
【請求項１０】
前記レンズ体は、双眼鏡であることを特徴とする請求項１〜５のいずれか１項に記載のレンズ付帽子。
【請求項１１】
前記接続部材は、前記双眼鏡を上下方向に回動自在にする回動機構を備え、
前記回動機構は、前記接続部材に一端を接続された上部回動部材と、該上部回動部材の他端にその一端を回動自在に軸支されるとともにその他端を前記双眼鏡へ接続された下部回動部材とからなり、
前記上部回動部材に備えられ前記下部回動部材に当接可能又は前記下部回動部材に備えられ前記上部回動部材に当接可能なストッパを備えたことを特徴とする請求項10記載のレンズ付帽子。
【考案の詳細な説明】
【技術分野】
【０００１】
本考案は、レンズ付帽子の改良に関するものである。
【背景技術】
【０００２】
従来、つば部を有した帽子にレンズ体を備えたレンズ付帽子において、レンズ体としてサングラス体を備えたものに、可撓性を有する着色プラスチック板またはセルロイド板により塵除け目鏡形状に形成されたサングラス体の基端部の中央および左右には突出部の３箇所には係止用突部が形成されており、また帽子のつば部の裏面には前記係止用突部に対応する係止部が中央および左右に形成されたものがある（特許文献１）。
【０００３】
また、レンズ体として双眼鏡を備えたものとして、第１の鏡筒及び第２の鏡筒を軸に回動自在に支持し、その軸を支持する本体を有した双眼鏡に対し、帽子の鍔の裏面側に取り付けた支持部材により前記本体を支持し、双眼鏡を取り付けたものがある（特許文献２）。
【特許文献１】実願昭５９−４２２号公報
【特許文献２】特開２００３−１６６１１２号公報
【考案の開示】
【考案が解決しようとする課題】
【０００４】
しかし、特許文献１のレンズ付帽子には接続箇所が複数設けられており、着脱時の操作に操作手順が多く、又は帽子に対してのサングラス体の折り返しについてもサングラス体の使用時及び不使用時において異なる接続箇所が設けられており、部品数の増加、または、操作性という面においても課題を有していた。
【０００５】
また、特許文献２のレンズ付帽子においては、レンズ体である双眼鏡とつば部との着脱が困難な構造となっていた。
【０００６】
このように、これまでのレンズ付帽子において、つば部とレンズ体との着脱が容易でないものや着脱が困難な構造のものが多く、レンズ体が不要である場合にレンズ体を帽子から外し、通常のつば付帽子として使用する場合にレンズ体を帽子から外す操作に手間がかかったり、レンズ体を外すことが困難なものがあった。
【０００７】
さらに、各種レンズ体とつば部との接続構造においては、それぞれのレンズ付帽子における接続部分の構造が異なっている為、それぞれのレンズ付帽子は他のレンズ体と互換性を有しておらず、レンズ付帽子の使用者は目的に応じた各種レンズ体を備えたレンズ付帽子を複数揃える必要があった。
【０００８】
そこで解決しようとする問題点は、着脱が容易なレンズ体を備えたレンズ付帽子を提供するとともに、一つの帽子で多様なレンズ体に対応することができるレンズ付帽子を提供することである。
【課題を解決するための手段】
【０００９】
請求項１の考案は、つば部を有する帽子と、前記つば部に着脱自在に付けられるレンズ体とからなるレンズ付帽子において、前記つば部に、該つば部の裏側において前後方向に並設された複数の接続受部を設け、前記レンズ体に、前記接続受部に選択的に接続可能とした接続部材を設けたことである。
【００１０】
請求項２の考案は、前記接続受部及び前記接続部材は、互いに嵌合可能に形成されたことである。
【００１１】
請求項３の考案は、前記接続部材は、前記接続受部に形成された平面多角形状の開口部に対し嵌合可能に形成されたことである。
【００１２】
請求項４の考案は、前記接続部材に、抜止め部が設けられたことである。
【００１３】
請求項５の考案は、前記抜止め部は、前記接続部材に穿設された孔と、該孔内部に配置された弾性部材と、前記孔内部で後端を弾性部材に押圧され、かつ前記孔から先端の一部のみが突出する球状体を設けたことである。
【００１４】
請求項６の考案は、前記レンズ体は、サングラス体である。
【００１５】
請求項７の考案は、前記サングラス体は、前記接続部材と、該接続部材の基端側に設けられたヒンジ機構と、該ヒンジ機構により前記接続部材に回動自在に接続されたレンズとを備えたことことである。
【００１６】
請求項８の考案は、前記ヒンジ機構は、前記レンズに備えられた回動軸に当接可能に設けられた姿勢保持手段を設けたことを備えたことである。
【００１７】
請求項９の考案は、前記帽子に、前記サングラス体が収納可能なサングラスケースを備えたことである。
【００１８】
請求項10の考案は、前記レンズ体は、双眼鏡である。
【００１９】
請求項11の考案は、前記接続部材は、前記双眼鏡を上下方向に回動自在にする回動機構を備え、前記回動機構は、前記接続部材に一端を接続された上部回動部材と、該上部回動部材の他端にその一端を回動自在に軸支されるとともにその他端を前記双眼鏡へ接続された下部回動部材とからなり、前記上部回動部材に備えられ前記下部回動部材に当接可能又は前記下部回動部材に備えられ前記上部回動部材に当接可能なストッパを備えたことである。
【考案の効果】
【００２０】
請求項１の考案によれば、帽子とレンズ体を着脱自在に設けたことにより、必要でないレンズ体を取外すことで通常のつば付帽子として使用可能とするとともに、各種用途に応じた他のレンズ体と交換可能となり、一つの帽子で多様なレンズ体に対応することができるレンズ付帽子を提供することができる。レンズ体の接続位置を前後方向に調節可能とすることで、使用者は眼鏡を装着した状態でも使用することができるとともに、様々な形状を有する各種レンズ体に対応し、各種レンズ体と使用者との距離を最適なものにすることができる。
【００２１】
請求項２の考案によれば、接続部材と接続受部とを互いに嵌合可能に設けたことにより、レンズ体の着脱が容易となり、ワンタッチ操作でレンズ体の着脱を行うことができる。
【００２２】
請求項３の考案によれば、接続受部に形成された平面多角形状の開口部に対し接続部材を嵌合可能にしたことにより、レンズ体の接続受部に対する接続が確実なものとなり、帽子に接続されたレンズ体が揺動することを防ぎ、また、レンズ体のブレを防ぐことで、装着時の眼の疲れを低減させる。
【００２３】
請求項４の考案によれば、接続時の安定性を向上させるとともに、着脱時の操作性を向上させることができる。また、各種レンズ体に同一の接続部材をそれぞれ設けることで各種レンズ体同士に互換性を持たせ、各種用途に応じた他のレンズ体と交換可能となり、一つの帽子で多様なレンズ体に対応することができるレンズ付帽子を提供することができる。さらに、レンズ体をつば部に確実に保持させることで、レンズ体の不慮の脱落を防ぎ、レンズ付帽子の操作性及び信頼性を向上させ、様々な重量からなる各種レンズ体をつば部に安定して取付けることができる。
【００２４】
請求項５の考案によれば、上記の構成を採用したことにより、速やかな着脱と確実な接続とを両立させる。
【００２５】
請求項６の考案によれば、サングラス体をつば部に着脱自在に設けたことにより、つる部材を有さないサングラスとして使用でき、サングラス体は使用者の頭部に対し非接触な構造を有することから、長時間の使用における疲労を低減させる。さらに、サングラス体は、つば部に接続されているため、使用者の顔の動きに対しサングラス体がズレたり脱落することがなく、優れた安定性を備えたサングラスとして使用することができる。その上、眼鏡を着用した使用者においても、サングラス体を前後方向に位置調節することで、使用者は眼鏡を掛けたままサングラス体を装着することが可能となる。
【００２６】
請求項７の構成によれば、サングラス体にレンズの跳ね上げ機構を備えたことにより、サングラス体が不要な状態では、レンズを跳ね上げるかサングラス体を取外すかという選択的な操作が可能となり、レンズ付帽子の使用上での自由度を向上させる。
【００２７】
請求項８の構成によれば、レンズの姿勢を保持する姿勢保持手段を設けたことにより、使用時と不使用時のレンズの姿勢が保持され、サングラス体の使い勝手がさらに向上する。
【００２８】
請求項９の考案によれば、不要なサングラス体の収納を可能としたことで、帽子から取外されたサングラス体の紛失を防ぐことができる。
【００２９】
請求項10の考案によれば、双眼鏡をつば部に着脱自在に設けたことにより、双眼鏡を使用する場合に、双眼鏡を手で保持する必要がなくなり、使用者の腕の疲れを低減させるとともに、使用者は手が空くことで、双眼鏡での観察とともに同時に他の作業を行うことが可能となり、作業の自由度を向上させることができる。
【００３０】
請求項11の考案によれば、双眼鏡を上下方向に回動自在に設けたことにより、使用者の目の位置に合せて双眼鏡のレンズの位置を調節することが可能となり、双眼鏡の操作性及び快適性が向上するとともに、双眼鏡の姿勢を規制するストッパを設けたことにより、重量のある双眼鏡においても使用中に姿勢を崩すことが無く、安定性の高い双眼鏡として使用することができる。
【考案を実施するための最良の形態】
【００３１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００３２】
図１乃至図13は本考案における第１実施例を示しており、同図において本考案のレンズ付帽子１は、つば部２を有する帽子本体３と、つば部２に着脱自在に設けられたレンズ体たるサングラス体４とから構成される。
【００３３】
前記つば部２には、接続受部５が設けられており、接続受部５は、平面正方形状で更に正方形の角を対角線上に向けて円がはみ出すような面取り部６が形成された接続孔（開口部）７が設けられた円柱状の第１の接続受部材８及び第２の接続受部材９とから構成されており、第１の接続受部材８と第２の接続受部材９とは前後方向に並設し溶接等により一体に固着している。そして帽子本体３のつば部２と接続受部５とは、つば部２の裏面側中央部分に接続受部５の第１の接続受部材８と第２の接続受部材９とが前後方向に並び揃うように第２の接続受部材９の底側からネジ10を貫通させ、つば部３の表面に配したナット11により螺合され固定されている。
【００３４】
前記サングラス体４には、第１の接続受部材８及び第２の接続受部材９のそれぞれの接続孔７,７に嵌合自在な平面正方形に形成され、その角には面取りが形成された角柱状の接続部材12が設けられており、接続部材12の正面には抜止め部13が設けられている。
【００３５】
前記抜止め部13は、接続部材12の正面からその角柱の中心軸方向に向け穿設された円柱状の孔14の内部にコイル状のバネ材等の弾性部材15を配置し、さらに孔14の内部の開口側に、その後端を弾性部材に押圧され、その先端の一部のみ孔14から突出するよう球状体16を配し、外径を孔14の径と同じに形成し、内径を球状体16の直径より小さく形成したリング体17を孔14の開口部18に嵌合させて固着し構成されている。
【００３６】
そして、抜止め部13を有する接続部材12の下端19は、ポリウレタン樹脂等の柔軟な材質からなり、接続部材12における角柱の外接円より直径が大きく形成された円柱状の接続体20の上端21に接続されており、そして、その接続体20の下端22は、板状の第１の基台23へ接続されている。
【００３７】
また、サングラス体４における左右一対のレンズ24,24は、着色されたプラスチック及びガラスから形成されており、左右一対のレンズ24,24の内側部25,25には、棒体を扁平させて形成された下垂部26,26がビス27により固着されている。そして、一対の下垂部26,26の上端は、丸棒からなりサングラス体４の回動軸たる架設部28によって接続され、これにより左右一対のレンズ24,24は下垂部26,26と架設部28とからなるブリッジ部材29により一体に接続されている。また、架設部28の中央部分には、断面三角形状の凸条28aが形成されている。
【００３８】
そして、前記第１の基台23とレンズ24,24との間には、レンズ24,24を帽子本体３の前後方向に向けて上下に回動自在にさせるヒンジ機構30が設けられている。
【００３９】
前記ヒンジ機構30は、第１の基台23に平行に設けられた板体からなる第２の基台31を基礎として設けられており、第２の基台31には、第２の基台31の上面32に設けられ帽子本体３の左右方向に長手方向を有する断面方形状の角条33を備え、角条33の背面には左右方向に延びる断面半円状の第１の溝34が形成されている。
【００４０】
また、第２の基台31の上面32における角条33の左右両側端から外側斜め後方には、左右一対の角型ブロック状の第１の凸部35,35が設けられており、左右一対の第１の凸部35,35の背面には、左右方向に延びる断面半円状の第２の溝37,37が形成されている。そして、第２の基台31には第１の凸部35,35の位置から先端が左右方向に外側へと延びた延設部37,37が形成されており、さらに、第２の基台37の下面38の延設部37,37の基端側においては、先端が左右方向に広がるよう下方に向けて延設された下方延設部39,39が左右一対に設けられている。そして、その下方延設部39,39の先端には、ポリウレタン樹脂等の柔軟な材質を円柱状に形成したストッパ部材40,40が設けられている。
【００４１】
さらに、第２の基台31の延設部37,37の基端側から先端が後方へと延設して形成された後方延設部41,41の上面32における外側端には、角型ブロック状の第２の凸部42,42が左右一対に設けられている。そして、第２の凸部42,42の正面には左右方向に延びる断面半円状の第３の溝44,44が形成されている。
【００４２】
また、対向する第１の凸部35,35に形成された第２の溝36,36と第２の凸部42,42に形成された第３の溝43,43との間には、軸44が挟持されており、軸44の中央には棒状のバネ材をコイル状に巻き回して形成し、その両端には互いにコイルの軸方向に対し開度θ（０°＜θ＜１８０°）を形成する第１の直線部45及び第２の直線部46を有した姿勢保持手段たる弾性体47を２基並設して装着している。そして、軸44の両端には、その両端を下方に折り曲げ形成した下方延設端48,48が設けられ、下方延設端48,48にはポリウレタン樹脂等の柔軟な材質を円柱状に形成した当接部49,49が設けられており、当接部49,49は、前記ストッパ部材40,40の外側斜め後方に対し当接し固着されている。また当接部49,49は、第２の基台31の延設部37,37における背面側とも当接し固着されている。
【００４３】
そして、第２の基台31の上面32における軸44の後側には、立設部50が設けられており、立設部50は矩形の板体を第２の基台31の上面32に対し垂直に設けたもので、立設部50は中央には第２の基台に対し垂直な面を有した垂直部51を備え、その垂直部51の上方を前方に傾斜し形成された傾斜部52と、垂直部51の下方に切欠部53を形成し、その切欠部53が形成された垂直部51の下端を前側上方に半円弧状に曲折した曲折部54が形成されている。
【００４４】
そして、前記立設部50における傾斜部52の上端部分55は前記接続体20に固着され、また、曲折部54は軸44の周方向に周設するよう配置され、前記切欠部53からは軸44に並設して装着された弾性体47,47が後方側に露出している。更に、垂直部51の前側面56では弾性体47の第１の直線部45が当接しており、架設部28に当接した第２の直線部46と共に、軸44方向に対し開度θを形成している。
【００４５】
このように、第２の基台31を基礎としてヒンジ機構30は構成され、サングラス体４はそのヒンジ機構30を間に介し、接続部材12とレンズ24,24とを上下に配した構成となっている。
【００４６】
図12は、本実施例におけるサングラス体４を収納可能としたサングラスケース57を示しており、サングラスケース本体58は、矩形の袋体からなり、袋体の上部には開口部59が形成されており、前記開口部59に対し後部の袋地60の上端中央を延設して形成された回し片61の裏面62に設けられた面ファスナ63と、前部の袋地64の表面中央に設けられた面ファスナ65とにより開閉自在な構成を有している。また、前部の袋地64の左右端が延設され開閉端66,66が設けられており、開閉端66,66表面に設けられた凸型スナップファスナ67,67と後部の袋地60の左右端に設けられた凹型スナップファスナ68,68とにより袋体の左右端は開閉自在に設けられている。さらに、後部の袋地60の上部左右端には、上方に延びた係止片69,69が設けられており、係止片69,69には貫通部70,70が形成されている。
【００４７】
本実施例におけるサングラスケース本体58の袋地には、柔軟性を有する合成樹脂を採用しており、前記袋地は透明又は半透明な性質も備えている。
【００４８】
また、帽子本体３の後部71の２箇所に接続紐72が接続可能な帽子側貫通部73が２個ずつ形成されており、サングラスケース本体58に設けられた係止片69,69の貫通部70,70に通された前記接続紐72の両端は、帽子側貫通部73に接続される。
【００４９】
以上の構成について作用を述べると、本実施例におけるレンズ付帽子１は、つば部２の裏面に設けられた接続受部５の第１の接続受部材８又は第２の接続受部材９のどちらか一方に対し選択的に接続可能な接続部材12を備えたサングラス体４を有しており、サングラス体４を第１の接続受部材８と第２の接続受部材９のどちらか一方に対し選択的に接続可能にすることで、レンズ付帽子１を装着時のサングラス体４と使用者との距離Ｘを前後方向に２段階に調節可能としている。そして、第１の接続受部材８にサングラス体４を接続した場合の前記距離Ｘは、使用者が眼鏡Ｍを装着した状態でも使用者の眼鏡Ｍとサングラス体４との間に十分な空隙が形成されるような距離である。
【００５０】
また、第１の接続受部材８及び第２の接続受部材９に設けられた接続孔７にサングラス体４の接続部材12を挿入した場合に接続孔７には面取り部６が、接続部材12には面取りがそれぞれ形成されている為、接続の際にスムーズな挿入が可能となっている。
【００５１】
さらに、平面正方形状（多角形状）に形成された接続孔７に、角柱状の接続部材12を嵌合させる構造により、接続孔７の開口部分と、接続部材12の先端部分とを合わせた後、接続部材12を接続孔７に挿入させて接続部材12と接続受部８,９とを嵌合させる。接続受部８,９に接続されたサングラス体４は、接続部材12と接続孔７とが、嵌合しているため、接続受部８,９に対しサングラス体４が揺動したり、接続部材12を軸に回転しない。そのため、接続部材12と接続受部８,９のどちらか一方との一対一での嵌合による接続機構のみで、他に接続機構を設けなくとも、強固な接続構造を構築している。
【００５２】
また、接続部材12には、抜止め部13が設けられている為、接続孔７に接続部材12を挿入した場合に円柱状の孔14に設けられた球状体16が、挿入の際に接続孔７の内面側の壁に押される為、同じく円柱状の孔14に設けられた弾性部材15が接続部材12の中心方向へと球状体16により押込められ弾性部材15はそのコイルの軸方向に対し弾性変形する。その時の弾性部材15の弾性変形により生じる復元力により球状体16は接続孔７の内側面の壁に対し押し当てられ、接続孔７に挿入された接続部材12は、サングラス体４自身の重さによる脱落に対しての抵抗手段を有することとなる。
【００５３】
本実施例における抜止め部13を有した接続部材12と接続受部８,９の開口部18との接続状態については、抜止め部13を開口部18に押し当てるという摩擦によるものであるが、他の実施形態として、開口部18に凹部を設け、その凹部に抜止め部12の球状体16を嵌合させるようにしたものでも構わないものとする。
【００５４】
サングラス体４はレンズ24,24を連結しているブリッジ部材29の架設部28を回動軸としてレンズ24,24を上下方向に回動自在に設けており、レンズ24,24を下方へ降ろした状態（レンズ24,24を略垂直にした状態）を使用状態とし、レンズ24,24を前方に跳ね上げた状態（レンズ24,24を略水平にした状態）を不使用状態とし、使用状態におけるレンズ24,24はレンズ24,24を接続するブリッジ部材29の架設部28に設けられた凸条28aの斜面28bに、姿勢保持手段たる弾性体47の第２の直線部46が当接し、その第２の直線部46から弾性体47の復元力を押圧力として架設部28は受ける為、角条33の第１の溝34に向けて架設部28は押し付けられ、前記押圧力によりレンズ24,24の使用状態における姿勢は保持されることとなる。さらに、不使用状態におけるレンズ24,24は、レンズ24,24を接続するブリッジ部材29の架設部28に設けられた凸条28aの斜面28cに、姿勢保持手段たる弾性体47の第２の直線部46が当接し、その第２の直線部46から弾性体47の復元力を押圧力として架設部28は受ける為、角条33の第１の溝34に向けて架設部28は押し付けられ、前記押圧力によりレンズ24,24の不使用状態における姿勢は保持されることとなる。
【００５５】
さらに、使用状態ではレンズ24,24の内面の対向部分に対し当接部49が当接し、レンズ24,24の後方への回転を規制しており、レンズ24,24の使用状態におけるレンズ24,24の前後方向及び上下方向における姿勢は常に一定に保たれることとなる。
【００５６】
また、当接部49がポリウレタン樹脂等の柔軟な材質から形成されている為、弾性部材15からの復元力（押圧力）を受けたレンズ24,24の内面が当接部49に当接した場合に、レンズ24,24の内面には傷が付きにくい。
【００５７】
また、つば部２の接続受部５から外したサングラス体４は帽子本体２の後部71に接続されたサングラスケース57に収納することも可能であり、そのサングラスケース57は面ファスナ63,65とスナップファスナ67,68をそれぞれ外すことにより、サングラスケース本体58はシート状になる。またサングラスケース本体58の袋地の素材を透明又は半透明な性質を有することから、サングラスケース本体58の内部の状態を外部から視認することができる。
【００５８】
本発明のレンズ付帽子においては、前記実施例のように、頭部全体を覆う帽子に限らず、つば部を有した形状のサンバイザ形状をしたものであっても構わないものとする。また、サングラスケースにおいても、サングラス体が収納可能な形状を有していればよく、その材質においても透明又は半透明に限らないものとする。
【００５９】
以上のように、前記実施例では請求項１に対応して、つば部２を有する帽子３と、前記つば部２に着脱自在に付けられるレンズ体４とからなるレンズ付帽子１において、前記つば部２に、該つば部２の裏側において前後方向に並設された複数の接続受部５,８,９を設け、前記レンズ体４に、前記接続受部５,８,９に選択的に接続可能とした接続部材12を設けたことにより、必要でないレンズ体４を取外すことで通常のつば付帽子として使用可能とするとともに、各種用途に応じた他のレンズ体４と交換可能となり、一つの帽子で多様なレンズ体４に対応することができるレンズ付帽子１を提供することができる。レンズ体４の接続位置を前後方向に調節可能とすることで、使用者は眼鏡Ｍを装着した状態でも使用することができるとともに、様々な形状を有する各種レンズ体４に対応し、各種レンズ体４と使用者との距離Ｘを最適なものにすることができる。
【００６０】
また、前記実施例では請求項２に対応して、前記接続受部５,８,９及び前記接続部材12は、互いに嵌合可能に形成されたことにより、レンズ体４の着脱が容易となり、ワンタッチ操作でレンズ体４の着脱を行うことができる。
【００６１】
さらに、前記実施例では請求項３に対応して、前記接続部材12は、前記接続受部８,９に形成された平面多角形状の開口部７に対し嵌合可能に形成されたことにより、レンズ体４の接続受部８,９に対する接続が確実なものとなり、帽子３に接続されたレンズ体４が揺動することを防ぎ、また、レンズ体のブレを防ぐことで、装着時の眼の疲れを低減させる。
【００６２】
また、前記実施例では請求項４に対応して、前記接続部材12に、抜止め部13が設けられたことにより、接続時の安定性を向上させるとともに、着脱時の操作性を向上させることができる。また、各種レンズ体４に同一の接続部材12をそれぞれ設けることで各種レンズ体４同士に互換性を持たせ、各種用途に応じた他のレンズ体４と交換可能となり、一つの帽子３で多様なレンズ体４に対応することができるレンズ付帽子１を提供することができる。さらに、レンズ体４をつば部２に確実に保持させることで、レンズ体４の不慮の脱落を防ぎ、レンズ付帽子１の操作性及び信頼性を向上させ、様々な重量からなる各種レンズ体４をつば部２に安定して取付けることができる。
【００６３】
さらに、前記実施例では請求項５に対応して、前記抜止め部13は、前記接続部材12に穿設された孔14と、該孔14内部に配置された弾性部材15と、前記孔14内部で後端を弾性部材15に押圧され、かつ前記孔14から先端の一部のみが突出する球状体16を設けたことにより、速やかな着脱と確実な接続とを両立させる。
【００６４】
また、前記実施例では請求項６に対応して、前記レンズ体４は、サングラス体であることにより、サングラス体４をつば部１に着脱自在に設けたことにより、つる部材を有さないサングラスとして使用でき、サングラス体４は使用者の頭部に対し非接触な構造を有することから、長時間の使用における疲労を低減させる。さらに、サングラス体４は、つば部２に接続されているため、使用者の顔の動きに対しサングラス体４がズレたり脱落することがなく、優れた安定性を備えたサングラス４として使用することができる。その上、眼鏡Ｍを着用した使用者においても、サングラス体４を前後方向に位置調節することで、使用者は眼鏡Ｍを掛けたままサングラス体４を装着することが可能となる。
【００６５】
さらに、前記実施例では請求項７に対応して、前記サングラス体４は、前記接続部材12と、該接続部材12の基端側に設けられたヒンジ機構30と、該ヒンジ機構30により前記接続部材12に回動自在に接続されたレンズ24,24とを備えたことにより、サングラス体４にレンズ24,24の跳ね上げ機構30を備えたことにより、サングラス体４が不要な状態では、レンズ24,24を跳ね上げるかサングラス体４を取外すかという選択的な操作が可能となり、レンズ付帽子１の使用上での自由度を向上させる。
【００６６】
また、前記実施例では請求項８に対応して、前記ヒンジ機構31は、前記レンズ24,24に備えられた回動軸28に当接可能に設けられた姿勢保持手段47を設けたことを備えたことにより、使用時と不使用時におけるレンズ24,24の姿勢が保持され、サングラス体４の使い勝手がさらに向上する。
【００６７】
さらに、前記実施例では請求項９に対応して、前記帽子３に、前記サングラス体４が収納可能なサングラスケース57を備えたことにより、不要なサングラス体４の収納を可能とし、帽子３から取外されたサングラス体４の紛失を防ぐことができる。
【実施例２】
【００６８】
図14乃至図15は実施例２を示しており、実施例１と重複する箇所の説明については省略する。
【００６９】
本実施例におけるレンズ付帽子１に着脱自在に設けられたレンズ体としての双眼鏡74は、図14に示すように独立した左右の鏡枠75,75が鏡枠支持体76を中心に回動軸77,77により開閉自在に軸支された双眼鏡74に接続部材12を備えたものである。
【００７０】
前記鏡枠75は、対物レンズ78を一端に備えた中空な外筒枠79と、接眼レンズ80を備え外筒枠79の内部に挿嵌されるように形成された内筒枠81とから構成されている。
【００７１】
内筒枠81の後端部（接眼レンズ取付け側）には、リング状に形成された接眼部材82が設けられており、接眼部材82はウレタンフォーム等の合成樹脂等の柔軟な材質から形成されている。
【００７２】
鏡枠支持体76の後端には、下端に回動機構83を備えた接続部材12がネジ84により固着されている。
【００７３】
前記接続部材12の回動機構83とは、抜止め部13を備えた接続部材12の下端に形成された略円錐状の上部回動部材85と、上部回動部材85の下端の左右両側を下方に延設した支持片86と、支持片86に接続軸87により軸支された下部回動部材88とから構成される。
【００７４】
前記下部回動部材88は、角柱状の回動片89と、回動片89の後方に回動片89より上方に突出するように取付けられた矩形の板体からなるストッパ90とから構成される。
【００７５】
また、91は、調整リングであり、鏡枠支持体76の内部に備えられた駆動軸92に連結されており、その駆動軸92と左右の内筒枠81とは、連動可能に設けられている。
【００７６】
さらに、鏡枠支持体の後端には左右一対の貫通部93,93が形成され、その貫通部93,93には紐体94が通されている。
【００７７】
以上の構成について作用を述べると、本実施例におけるレンズ付帽子１は、つば部２の裏面に設けられた接続受部５の第１の接続受部材８又は第２の接続受部材９のどちらか一方に対し選択的に接続可能な接続部材12を備えた双眼鏡74を有しており、双眼鏡74を第１の接続受部材８と第２の接続受部材９のどちらか一方に対し選択的に接続可能にすることで、装着時の双眼鏡74と使用者との距離Ｘを前後方向に２段階に調節可能としている。そして、第１の接続受部材８に双眼鏡74を接続した場合の前記距離Ｘは、使用者が眼鏡Ｍを装着している状態でも使用者の眼鏡Ｍと双眼鏡74とは十分な空隙が形成されるような距離である。
【００７８】
そして、使用者の眼幅に合うよう、鏡枠75を鏡枠支持体76に対し開閉させ調節するとともに、双眼鏡74を接続部材12の接続軸87により上下動させて調節し使用者の目の位置と接眼レンズ80の位置とを合せる。
【００７９】
双眼鏡74を接続軸87に対し上下方向に回動させる場合に、図14に示すように、双眼鏡74は接続軸86に対し、双眼鏡74の先端（対物レンズ78側）を上昇させる方向には回動自在となっているが、双眼鏡74の先端（対物レンズ78側）が下降する方向には、上部回動部材84の底部95に対しストッパ89の上端が当接する為、双眼鏡74の先端（対物レンズ78側）が下降する方向の回動が規制される。
【００８０】
このストッパ89により、双眼鏡74の前後方向における重心位置から離れた位置に接続部材12が設けられていても、双眼鏡74の先端（対物レンズ78側）が降下することが規制される為、双眼鏡74の水平方向における姿勢が確実に保持されることとなる。
【００８１】
さらに、所望の倍率で対象物を観察するために、調節リング91を回動させ、調節リング91に連動した内筒枠81を前後方向（鏡枠75の軸方向）にスライドさせ、倍率を調節する。
【００８２】
また、内筒枠81の後端部に接眼部材82が設けられたことで、双眼鏡74が使用者の目又は眼鏡に接触した場合の衝撃を緩和させるととともに、接眼部材74は柔軟な材質から形成されたことで任意の形状に弾性変形する為、使用者の眼鏡Ｍ等に当接した場合に眼鏡Ｍ等のレンズの球面に対し適した形状に変形する。
【００８３】
そうすることで、装着感が向上すると共に、双眼鏡74をつば部２及び使用者の眼鏡Ｍ等で支持する為、双眼鏡74の姿勢が安定する。
【００８４】
さらに、双眼鏡74に紐体94が備えられていることで、使用者は不要な双眼鏡74をつば部２から取外し、首に掛ける又は壁に掛ける等としておくことで、双眼鏡74の紛失や破損等を防ぐことができる。
【００８５】
そして、双眼鏡74をつば部２に装着して使用している場合でも、紐体94を首に掛けておくことで、双眼鏡74が落下した場合の破損を事前に防ぐことができる。
【００８６】
以上のように、前記実施例では請求項10に対応して、前記レンズ体は、双眼鏡74であることにより、双眼鏡74を使用する場合に、双眼鏡74を手で保持する必要がなくなり、使用者の腕の疲れを低減させるとともに、使用者は手が空くことで、双眼鏡74での観察とともに同時に他の作業を行うことが可能となり、作業の自由度を向上させることができる。
【００８７】
また、前記実施例では請求項11に対応して、前記接続部材12は、前記双眼鏡74を上下方向に回動自在にする回動機構83を備え、前記回動機構83は、前記接続部材12に一端を接続された上部回動部材85と、該上部回動部材85の他端にその一端を回動自在に軸支されるとともにその他端を前記双眼鏡74へ接続された下部回動部材88とからなり、前記上部回動部材85に備えられ前記下部回動部材88に当接可能又は前記下部回動部材88に備えられ前記上部回動部材85に当接可能なストッパ89を備えたことにより、使用者の目の位置に合せて双眼鏡74のレンズ80の位置を調節することが可能となり、双眼鏡74の操作性及び快適性が向上するとともに、双眼鏡74の姿勢を規制するストッパ89を設けたことにより、重量のある双眼鏡74においても使用中に姿勢を崩すことが無く、安定性の高い双眼鏡74として使用することができる。
【図面の簡単な説明】
【００８８】
【図１】本考案の実施例１におけるレンズ付帽子の使用状態における斜視図である。
【図２】本考案の実施例１におけるレンズを回動させた状態を示す斜視図である。
【図３】本考案の実施例１におけるサングラス体の取り付け状態を示す斜視図である。
【図４】本考案の実施例１におけるつば部の底面図である。
【図５】本考案の実施例１におけるサングラス体の正面図である。
【図６】本考案の実施例１におけるサングラス体の背面図である。
【図７】図４のＡ―Ａ線における断面図である。
【図８】図７においてサングラス体のレンズを跳ね上げた状態を示した断面図である。
【図９】図４のＢ―Ｂ線における断面図である。
【図１０】本考案の実施例１におけるサングラス体と使用者との距離Ｘを示す要部説明図である。
【００８９】
【図１１】サングラス体の接続部材とつば部の接続受部との接続状態を示した拡大断面図である。
【図１２】本考案の実施例１におけるサングラスケースを示す斜視図である。
【図１３】本考案の実施例１におけるサングラスケースを開いた状態を示す斜視図である。
【図１４】本考案の実施例２におけるレンズ付帽子の使用状態における斜視図である。
【図１５】図15（a）と図15（b）は、本考案の実施例２における双眼鏡と使用者との距離Ｘを示す要部説明断面図であり、図15（a）は、双眼鏡の鏡枠を水平にした状態であり、図15（b）は、双眼鏡を上下に回動させ使用者の目の位置に合せた状態を示した図である。
【符号の説明】
【００９０】
１  レンズ付帽子
２  つば部
４  サングラス体（レンズ体）
５  接続受部
７  接続孔（開口部）
８,９  接続受部材
12  接続部材
13  抜止め部
14  孔（抜止め部）
15  弾性部材（抜止め部）
16  球状体（抜止め部）
28  架設部（回動軸）
30  ヒンジ機構
47  弾性体（姿勢保持手段）
57  サングラスケース
74  双眼鏡（レンズ体）
83  回動機構
85  上部回動部材
88  下部起動部材
90  ストッパ
【図１】
0003121162.tif 000003
【図２】
0003121162.tif 000004
【図３】
0003121162.tif 000005
【図４】
0003121162.tif 000006
【図５】
0003121162.tif 000007
【図６】
0003121162.tif 000008
【図７】
0003121162.tif 000009
【図８】
0003121162.tif 000010
【図９】
0003121162.tif 000011
【図１０】
0003121162.tif 000012
【図１１】
0003121162.tif 000013
【図１２】
0003121162.tif 000014
【図１３】
0003121162.tif 000015
【図１４】
0003121162.tif 000016
【図１５】
0003121162.tif 000017